(57)【要約】【課題】タッチパネルで検出された指紋に対応付けられている個人情報を、使用する情報として指定した状態でアプリケーションプログラムを起動するか、当該個人情報を使用する情報として指定しない状態でアプリケーションプログラムを起動するかを、ユーザが簡単に選択することが可能な技術を提供する。【解決手段】指紋を検出することが可能なタッチパネル５０が、アイコンに対する第１操作を検出すると、制御部５２は、タッチパネル５０で検出された、当該第１操作を行った指の指紋に対応付けられている個人情報を、使用する情報として指定した状態でアプリケーションプログラムを起動する。一方で、タッチパネル５０がアイコンに対する第２操作を検出すると、制御部５２は、個人情報を、使用する情報として指定しない状態でアプリケーションプログラムを起動する。【選択図】図３
2011034140.tif 000002
【特許請求の範囲】
【請求項１】
アプリケーションプログラムを起動するためのアイコンを表示面に表示するとともに、当該表示面に対する指の操作及び当該指の指紋を検出することが可能なタッチパネルと、
前記タッチパネルの表示を制御する表示制御部と、
指紋と個人情報とを互いに対応付けて記憶する個人情報記憶部と、
アプリケーションプログラムを記憶するプログラム記憶部と、
アイコンに対応するアプリケーションプログラムを実行するアプリケーション実行部と
を備え、
前記アプリケーション実行部は、
前記タッチパネルがアイコンに対する第１操作を検出すると、前記タッチパネルで検出された、当該第１操作を行った指の指紋に対応付けられている前記個人情報記憶部内の個人情報を、使用する情報として指定した状態でアプリケーションプログラムを起動し、
前記タッチパネルがアイコンに対する、前記第１操作とは異なる第２操作を検出すると、前記個人情報記憶部内の個人情報を、使用する情報として指定しない状態でアプリケーションプログラムを起動する、情報処理装置。
【請求項２】
請求項１に記載の情報処理装置であって、
前記個人情報記憶部は、前記情報処理装置のユーザが有する複数の指の指紋と、複数の人物の個人情報とをそれぞれ対応付けて記憶している、情報処理装置。
【請求項３】
請求項１及び請求項２のいずれか一つに記載の情報処理装置であって、
前記第１及び第２操作の一方は、指がアイコンに接触した後に前記タッチパネルに接触しながら所定領域内に移動する行為である、情報処理装置。
【請求項４】
請求項３に記載の情報処理装置であって、
前記第１及び第２操作の一方は、指がアイコンに接触した後に前記タッチパネルに接触しながらアイコンの表示領域外に移動する行為である、情報処理装置。
【請求項５】
請求項１及び請求項２のいずれか一つに記載の情報処理装置であって、
前記第１及び第２操作の一方は、所定時間よりも長い間、指がアイコンに接触する行為であって、
前記第１及び第２操作の他方は、所定時間よりも短い間、指がアイコンに接触する行為である、情報処理装置。
【請求項６】
請求項１及び請求項２のいずれか一つに記載の情報処理装置であって、
前記第１及び第２操作の一方は、所定時間内に複数回、指がアイコンに接触する行為であって、
前記第１及び第２操作の他方は、所定時間内に１回だけ、指がアイコンに接触する行為である、情報処理装置。
【請求項７】
請求項１及び請求項２のいずれか一つに記載の情報処理装置であって、
前記第１及び第２操作の一方は、指がアイコンに接触した後に前記タッチパネルに接触しながら所定距離よりも長く移動する行為である、情報処理装置。
【請求項８】
請求項７に記載の情報処理装置であって、
前記第１及び第２操作の前記一方は、指がアイコンに接触した後に所定領域内において前記タッチパネルに接触しながら所定距離よりも長く移動する行為であって、
前記表示制御部は、前記タッチパネルが、指がアイコンに接触した後に前記タッチパネルに接触しながら前記所定領域外に移動することを検出すると、前記タッチパネルを制御して、指の移動先にアイコンを移動させる、情報処理装置。
【請求項９】
請求項１及び請求項２のいずれか一つに記載の情報処理装置であって、
前記第１及び第２操作の一方は、指がアイコンに接触した後に前記タッチパネルに接触しながら所定速度よりも速く移動する行為である、情報処理装置。
【請求項１０】
請求項１及び請求項２のいずれか一つに記載の情報処理装置であって、
前記第１及び第２操作の一方は、指がアイコンに接触した後に前記タッチパネルに接触しながら所定形状に移動する行為である、情報処理装置。
【請求項１１】
請求項１乃至請求項１０のいずれか一つに記載の情報処理装置であって、
前記表示制御部は、前記タッチパネルが前記第１操作を検出すると、個人情報が使用される情報として指定された状態でアプリケーションプログラムが起動されることを許可するか否かをユーザが選択するための第１選択画面を前記タッチパネルに表示させ、
前記アプリケーション実行部は、
前記第１選択画面を表示している前記タッチパネルが許可操作を検出すると、前記タッチパネルで検出された指紋に対応付けられている個人情報を、使用する情報として指定した状態でアプリケーションプログラムを起動する、情報処理装置。
【請求項１２】
請求項１１に記載の情報処理装置であって、
前記表示制御部は、前記第１選択画面を表示している前記タッチパネルが許可操作を検出すると、前記タッチパネルで検出された指紋に対応付けられている個人情報がアプリケーションプログラムで使用される情報とされることを許可するか否かをユーザが選択するための第２選択画面を前記タッチパネルに表示させ、
前記アプリケーション実行部は、
前記第２選択画面を表示している前記タッチパネルが許可操作を検出すると、前記タッチパネルで検出された指紋に対応付けられている個人情報を、使用する情報として指定した状態でアプリケーションプログラムを起動する、情報処理装置。
【請求項１３】
請求項１乃至請求項１２のいずれか一つに記載の情報処理装置であって、
前記表示制御部は、前記タッチパネルが前記第２操作を検出すると、個人情報が使用される情報として指定されない状態でアプリケーションプログラムが起動されることを許可するか否かをユーザが選択するための第３選択画面を前記タッチパネルに表示させ、
前記アプリケーション実行部は、前記第３選択画面を表示している前記タッチパネルが許可操作を検出すると、前記個人情報記憶部内の個人情報を、使用する情報として指定しない状態でアプリケーションプログラムを起動する、情報処理装置。
【請求項１４】
アプリケーションプログラムを起動するためのアイコンを表示面に表示するとともに、当該表示面に対する指の操作及び当該指の指紋を検出することが可能なタッチパネルを備える情報処理装置でのアプリケーションプログラムの起動方法であって、
前記タッチパネルがアイコンに対する第１操作を検出すると、前記タッチパネルで検出された、当該第１操作を行った指の指紋に対応付けられている個人情報を、使用する情報として指定した状態でアプリケーションプログラムを起動する工程と、
前記タッチパネルがアイコンに対する、前記第１操作とは異なる第２操作を検出すると、前記個人情報を、使用する情報として指定しない状態でアプリケーションプログラムを起動する工程と
を備える、アプリケーションプログラムの起動方法。
【発明の詳細な説明】
【技術分野】
【０００１】
本発明は、タッチパネルで検出された指紋に対応付けられている個人情報を、使用する情報として指定した状態でアプリケーションプログラムを起動することが可能な情報処理装置及び当該情報処理装置でのアプリケーションプログラムの起動方法に関する。
【背景技術】
【０００２】
従来から、携帯電話機等の情報処理装置に関して様々な技術が提案されている。例えば特許文献１には、携帯電話機に関する技術が開示されている。特許文献１の携帯電話機では、押しボタンスイッチが指紋検出部として機能し、当該指紋検出部で検出された指紋に対応付けられている、電話番号やメールアドレス等の通信先データで特定される通信先に接続できるようになっている。これにより、ユーザは、押しボタンスイッチに指を押し当てるだけで、目的の通信先に接続することができる。
【０００３】
また特許文献２には、情報処理装置に使用できる、スキャナ機能付きタッチパネルが開示されている。特許文献２のタッチパネルでは、スキャナ機能によって、接触した指の指紋を検出することができる。
【先行技術文献】
【特許文献】
【０００４】
【特許文献１】特開２００２−３４４６１１号公報
【特許文献２】特開２００９−５４１１８号公報
【発明の概要】
【発明が解決しようとする課題】
【０００５】
上述の特許文献１の携帯電話機において、指紋検出部として、特許文献２のスキャナ機能付きタッチパネルを使用した場合には、例えば、タッチパネルに表示されている、電話機能を起動するためのアイコンを指で触れると、当該指の指紋がタッチパネルで検出されることになる。そして、携帯電話機は、タッチパネルで検出された指紋に対応付けられている電話番号に接続するようになる。このような場合において、ユーザが、指紋に対応付けられている電話番号を使用せずに、自ら電話番号を入力したいときには、指紋が登録されていない指でアイコンに接触する必要がある。したがって、ユーザが、指紋に対応付けられている電話番号を使用して電話をかけるのか、当該電話番号を使用せずに電話をかけるのかを選択するためには、指紋が登録されていない指を記憶しておくとともに、アイコンに接触する指を変更する必要がある。よって、指紋に対応付けられている電話番号を使用して電話をかけるのか、当該電話番号を使用せずに電話をかけるのかを、ユーザは簡単に選択することができない。
【０００６】
そこで、本発明は上述の点に鑑みて成されたものであり、情報処理装置において、タッチパネルで検出された指紋に対応付けられている電話番号等の個人情報を、使用する情報として指定した状態でアプリケーションプログラムを起動するか、当該個人情報を使用する情報として指定しない状態でアプリケーションプログラムを起動するかを、ユーザが簡単に選択することが可能な技術を提供することを目的とする。
【課題を解決するための手段】
【０００７】
上記課題を解決するため、本発明に係る情報処理装置は、アプリケーションプログラムを起動するためのアイコンを表示面に表示するとともに、当該表示面に対する指の操作及び当該指の指紋を検出することが可能なタッチパネルと、前記タッチパネルの表示を制御する表示制御部と、指紋と個人情報とを互いに対応付けて記憶する個人情報記憶部と、アプリケーションプログラムを記憶するプログラム記憶部と、アイコンに対応するアプリケーションプログラムを実行するアプリケーション実行部とを備え、前記アプリケーション実行部は、前記タッチパネルがアイコンに対する第１操作を検出すると、前記タッチパネルが検出した、当該第１操作を行った指の指紋に対応付けられている前記個人情報記憶部内の個人情報を、使用する情報として指定した状態でアプリケーションプログラムを起動し、前記タッチパネルがアイコンに対する、前記第１操作とは異なる第２操作を検出すると、前記個人情報記憶部内の個人情報を、使用する情報として指定しない状態でアプリケーションプログラムを起動する。
【０００８】
また、本発明に係る情報処理装置の一態様では、前記個人情報記憶部は、前記情報処理装置のユーザが有する複数の指の指紋と、複数の人物の個人情報とをそれぞれ対応付けて記憶している。
【０００９】
また、本発明に係る情報処理装置の一態様では、前記第１及び第２操作の一方は、指がアイコンに接触した後に前記タッチパネルに接触しながら所定領域内に移動する行為である。
【００１０】
また、本発明に係る情報処理装置の一態様では、前記第１及び第２操作の一方は、指がアイコンに接触した後に前記タッチパネルに接触しながらアイコンの表示領域外に移動する行為である。
【００１１】
また、本発明に係る情報処理装置の一態様では、前記第１及び第２操作の一方は、所定時間よりも長い間、指がアイコンに接触する行為であって、前記第１及び第２操作の他方は、所定時間よりも短い間、指がアイコンに接触する行為である。
【００１２】
また、本発明に係る情報処理装置の一態様では、前記第１及び第２操作の一方は、所定時間内に複数回、指がアイコンに接触する行為であって、前記第１及び第２操作の他方は、所定時間内に１回だけ、指がアイコンに接触する行為である。
【００１３】
また、本発明に係る情報処理装置の一態様では、前記第１及び第２操作の一方は、指がアイコンに接触した後に前記タッチパネルに接触しながら所定距離よりも長く移動する行為である。
【００１４】
また、本発明に係る情報処理装置の一態様では、前記第１及び第２操作の前記一方は、指がアイコンに接触した後に所定領域内において前記タッチパネルに接触しながら所定距離よりも長く移動する行為であって、前記表示制御部は、前記タッチパネルが、指がアイコンに接触した後に前記タッチパネルに接触しながら前記所定領域外に移動することを検出すると、前記タッチパネルを制御して、指の移動先にアイコンを移動させる。
【００１５】
また、本発明に係る情報処理装置の一態様では、前記第１及び第２操作の一方は、指がアイコンに接触した後に前記タッチパネルに接触しながら所定速度よりも速く移動する行為である。
【００１６】
また、本発明に係る情報処理装置の一態様では、前記第１及び第２操作の一方は、指がアイコンに接触した後に前記タッチパネルに接触しながら所定形状に移動する行為である。
【００１７】
また、本発明に係る情報処理装置の一態様では、前記表示制御部は、前記タッチパネルが前記第１操作を検出すると、個人情報が使用される情報として指定された状態でアプリケーションプログラムが起動されることを許可するか否かをユーザが選択するための第１選択画面を前記タッチパネルに表示させ、前記アプリケーション実行部は、前記第１選択画面を表示している前記タッチパネルが許可操作を検出すると、前記タッチパネルで検出された指紋に対応付けられている個人情報を、使用する情報として指定した状態でアプリケーションプログラムを起動する。
【００１８】
また、本発明に係る情報処理装置の一態様では、前記表示制御部は、前記第１選択画面を表示している前記タッチパネルが許可操作を検出すると、前記タッチパネルで検出された指紋に対応付けられている個人情報がアプリケーションプログラムで使用される情報とされることを許可するか否かをユーザが選択するための第２選択画面を前記タッチパネルに表示させ、前記アプリケーション実行部は、前記第２選択画面を表示している前記タッチパネルが許可操作を検出すると、前記タッチパネルで検出された指紋に対応付けられている個人情報を、使用する情報として指定した状態でアプリケーションプログラムを起動する。
【００１９】
また、本発明に係る情報処理装置の一態様では、前記表示制御部は、前記タッチパネルが前記第２操作を検出すると、個人情報が使用される情報として指定されない状態でアプリケーションプログラムが起動されることを許可するか否かをユーザが選択するための第３選択画面を前記タッチパネルに表示させ、前記アプリケーション実行部は、前記第３選択画面を表示している前記タッチパネルが許可操作を検出すると、前記個人情報記憶部内の個人情報を、使用する情報として指定しない状態でアプリケーションプログラムを起動する。
【００２０】
また、本発明に係るアプリケーションプログラムの起動方法は、アプリケーションプログラムを起動するためのアイコンを表示面に表示するとともに、当該表示面に対する指の操作及び当該指の指紋を検出することが可能なタッチパネルを備える情報処理装置でのアプリケーションプログラムの起動方法であって、前記タッチパネルがアイコンに対する第１操作を検出すると、前記タッチパネルが検出した、当該第１操作を行った指の指紋に対応付けられている個人情報を、使用する情報として指定した状態でアプリケーションプログラムを起動する工程と、前記タッチパネルがアイコンに対する、前記第１操作とは異なる第２操作を検出すると、前記個人情報を、使用する情報として指定しない状態でアプリケーションプログラムを起動する工程とを備える。
【発明の効果】
【００２１】
本発明によれば、ユーザの指の指紋に対応付けられた個人情報を、使用する情報として指定した状態でアプリケーションプログラムを起動するか、当該個人情報を使用する情報として指定しない状態でアプリケーションプログラムを起動するかを、ユーザが簡単に選択することができる。
【図面の簡単な説明】
【００２２】
【図１】本発明の実施の形態に係る携帯電話機（情報処理装置）の外観を示す斜視図である。
【図２】本発明の実施の形態に係る携帯電話機の外観を示す斜視図である。
【図３】本発明の実施の形態に係る携帯電話機の電気的な構成を示す図である。
【図４】本発明の実施の形態に係る記憶部の機能構成を示す図である。
【図５】本発明の実施の形態に係るアドレス帳ファイルの一例を示す図である。
【図６】本発明の実施の形態に係る制御部の機能構成を示す図である。
【図７】本発明の実施の形態に係る携帯電話機の動作を示すフローチャートである。
【図８】本発明の実施の形態に係るタッチパネルの表示画面の一例を示す図である。
【図９】本発明の実施の形態に係るタッチパネルの表示画面の一例を示す図である。
【図１０】本発明の実施の形態に係るタッチパネルの表示画面の一例を示す図である。
【図１１】本発明の実施の形態に係るタッチパネルの表示画面の一例を示す図である。
【図１２】本発明の実施の形態に係るタッチパネルの表示画面の一例を示す図である。
【図１３】本発明の実施の形態に係るタッチパネルの表示画面の一例を示す図である。
【図１４】本発明の実施の形態に係るタッチパネルの初期画面の一例を示す図である。
【図１５】本発明の実施の形態に係る情報指定起動操作の一例を示す図である。
【図１６】本発明の実施の形態に係る情報指定起動操作の一例を示す図である。
【図１７】本発明の実施の形態に係るタッチパネルの初期画面の一例を示す図である。
【図１８】本発明の実施の形態に係る情報指定起動操作の一例を示す図である。
【図１９】本発明の実施の形態に係る情報指定起動操作の一例を示す図である。
【図２０】本発明の実施の形態に係るタッチパネルの初期画面の一例を示す図である。
【図２１】本発明の実施の形態に係る情報指定起動操作の一例を示す図である。
【図２２】本発明の実施の形態に係る情報指定起動操作の一例を示す図である。
【図２３】本発明の実施の形態に係る情報指定起動操作の一例を示す図である。
【図２４】本発明の実施の形態に係るアイコンの移動を示す図である。
【図２５】本発明の実施の形態に係る情報指定起動操作の一例を示す図である。
【図２６】本発明の実施の形態に係る携帯電話機の動作を示すフローチャートである。
【図２７】本発明の実施の形態に係るタッチパネルの表示画面の一例を示す図である。
【図２８】本発明の実施の形態に係るタッチパネルの表示画面の一例を示す図である。
【図２９】本発明の実施の形態に係るタッチパネルの表示画面の一例を示す図である。
【図３０】本発明の実施の形態に係るタッチパネルの表示画面の一例を示す図である。
【図３１】本発明の実施の形態に係るタッチパネルの表示画面の一例を示す図である。
【図３２】本発明の実施の形態に係るタッチパネルの表示画面の一例を示す図である。
【発明を実施するための形態】
【００２３】
図１，２は本発明の実施の形態に係る情報処理装置１の外観を示す斜視図である。本実施の形態に係る情報処理装置１は、例えば携帯電話機である。以後、情報処理装置１を「携帯電話機１」と呼ぶ。
【００２４】
図１，２に示されるように、携帯電話機１は、図示しない連結機構によって互いに連結された第１の筐体２と第２の筐体３とを備えている。第１の筐体２と第２の筐体３とは、ともに板状を成しており、第１の筐体２にはタッチパネル５０が収納されており、第２の筐体３には、複数のキースイッチ５１ａを有する操作部５１が収納されている。タッチパネル５０の表示面は、第１の筐体２の一方の主面から露出しており、複数のキースイッチ５１ａは第２の筐体３の一方の主面から露出している。
【００２５】
本実施の形態に係る携帯電話機１は、複数のキースイッチ５１ａが外部から視認できるように第１の筐体２の他方の主面と第２の筐体３の一方の主面とが部分的に重なった状態（以後、「オープン状態」）と、複数のキースイッチ５１ａが外部から視認できないように第１の筐体２の他方の主面と第２の筐体３の一方の主面とが完全に重なった状態（以後、「クローズ状態」と呼ぶ）との２つの状態を有している。図１はオープン状態の携帯電話機１を示しており、図２はクローズ状態の携帯電話機１を示している。ユーザは、第１の筐体２をその主面に沿ってスライドさせることによって、携帯電話機１をオープン状態にしたり、クローズ状態にすることができる。
【００２６】
図３は本実施の形態に係る携帯電話機１の電気的な構成を示すブロック図である。図３に示されるように、携帯電話機１は、制御部５２と、無線送受信部５３と、ＧＰＳ受信部５４と、音声出力部５５と、音声入力部５６と、上述のタッチパネル５０及び操作部５１とを備えている。制御部５２、無線送受信部５３、ＧＰＳ受信部５４、音声出力部５５及び音声入力部５６は第２の筐体３内に収納されている。
【００２７】
制御部５２は、ＣＰＵ５２ａ及び記憶部５２ｂ等を備えており、本携帯電話機１の他の構成要素を制御することによって、本携帯電話機１の動作を統括的に管理する。記憶部５２ｂは、ＲＯＭ及びＲＡＭ等で構成されている。制御部５２の各種機能は、ＣＰＵ５２ａが記憶部５２ｂ内の各種プログラムを実行することによって実現される。
【００２８】
無線送受信部５３は、本携帯電話機１とは別の携帯電話機や、インターネットに接続されたサーバ装置等の通信装置からの信号をアンテナ５３ａで受信し、受信した信号に対して増幅処理やダウンコンバートを行って制御部５２に出力する。また無線送受信部５３は、制御部５２で生成された送信信号に対してアップコンバートや増幅処理を行って、処理後の送信信号をアンテナ５３ａを通じて、本携帯電話機１とは別の携帯電話機や、インターネットに接続された通信装置に対して送信する。
【００２９】
ＧＰＳ受信部５４は、ＧＰＳ衛星から送信されるＧＰＳ信号をアンテナ５４ａを通じて受信する。ＧＰＳ受信部５４は、受信したＧＰＳ信号に基づいて、本携帯電話機１の現在位置を算出して制御部５２に出力する。
【００３０】
音声出力部５５は、スピーカを有しており、制御部５２からの音声データを音声に変換して外部に出力する。
【００３１】
音声入力部５６は、マイクを有しており、外部から入力される音声を音声データに変換して制御部５２に出力する。
【００３２】
タッチパネル５０は、制御部５２によって制御されることによって、アプリケーションプログラムを起動するためのアイコン（以後、「アプリアイコン」と呼ぶ）や文字などの各種情報を表示面に表示する。またタッチパネル５０は、表示面に対するユーザの指の操作を検出して制御部５２に出力する。さらにタッチパネル５０は、表示面に接触したユーザの指の指紋を検出して制御部５２に出力する。このようなタッチパネル５０は、例えば、特許文献２のような光センサ素子を利用したスキャナ機能付きタッチパネルで構成しても良いし、静電容量方式のタッチパネルで構成しても良い。
【００３３】
操作部５１は、上述のように複数のキースイッチ５１ａを有しており、各キースイッチ５１ａに対するユーザの押下操作を検出して制御部５２に出力する。
【００３４】
本実施の形態では、ユーザは、タッチパネル５０及び操作部５１を操作することによって、様々な情報を本携帯電話機１に入力することが可能となっている。
【００３５】
図４は記憶部５２ｂの機能構成を示す図である。図４に示されるように、記憶部５２ｂは、機能構成として、個人情報を記憶する個人情報記憶部５２０と、各種プログラムを記憶するプログラム記憶部５２１とを備えている。
【００３６】
個人情報記憶部５２０は、個人情報が記述されたアドレス帳ファイル５２０ａを記憶している。図５はアドレス帳ファイル５２０ａの一例を示す図である。図５に示されるように、アドレス帳ファイル５２０ａはテーブル形式を成しており、アドレス帳ファイル５２０ａの各レコード５２０ａａには、一の人物についての個人情報が登録される。レコード５２０ａａに登録される個人情報としては、例えば、名前、複数種類の電話番号、複数種類のメールアドレス及びＵＲＬなどがある。
【００３７】
さらに、アドレス帳ファイル５２０ａでは、複数のレコード５２０ａａの少なくとも一部に対して、タッチパネル５０で検出された、本携帯電話機１のユーザの指紋が登録される。これにより、複数のレコード５２０ａａの少なくとも一部では、個人情報とユーザの指紋とが対応付けられて記憶される。本実施の形態では、アドレス帳ファイル５２０ａには、互いに異なった複数の指紋が登録可能とされており、同じ指紋を登録することはできない。
【００３８】
このように、本実施の形態に係るアドレス帳ファイル５２０ａには、本携帯電話機１のユーザが有する複数の指の指紋と、複数の人物の個人情報とをそれぞれ対応付けて登録することができる。なお、アドレス帳ファイル５２０ａに対する指紋の登録方法については後で詳細に説明する。
【００３９】
プログラム記憶部５２１は、ＯＳプログラム５２１ａと、複数のアプリケーションプログラム（以後、単に「アプリケーション」と呼ぶ）とを記憶している。プログラム記憶部５２１は、アプリケーションとして、例えば、通話プログラム５２１ｂ、電子メールプログラム５２１ｃ、ブラウザ５２１ｄ、ナビゲーションプログラム５２１ｅ、地図表示プログラム５２１ｆ、スケジュール管理プログラム５２１ｇ及びアドレス帳管理プログラム５２１ｈを記憶している。
【００４０】
通話プログラム５２１ｂは、本携帯電話機１のユーザが、他の携帯電話機のユーザと通話を行うためのアプリケーションである。電子メールプログラム５２１ｃは、本携帯電話機１が他の携帯電話機やインターネットに接続された通信装置との間で電子メールをやり取りするためのアプリケーションである。ブラウザ５２１ｄは、インターネットに接続されたサーバ装置（通信装置）が提供するウェブサイトをタッチパネル５０に表示するためのアプリケーションである。ナビゲーションプログラム５２１ｅは、本携帯電話機１のユーザに対して地図を利用した経路案内を行うためのアプリケーションである。地図表示プログラム５２１ｆは、タッチパネル５０に地図を表示するためのアプリケーションである。スケジュール管理プログラム５２１ｇは、本携帯電話機１で作成されるスケジュールを管理するためのアプリケーションである。そして、アドレス帳管理プログラム５２１ｈは、アドレス帳ファイル５２０ａを管理するためのアプリケーションである。
【００４１】
本実施の形態では、プログラム実行部として機能するＣＰＵ５２ａが、記憶部５２ｂ内のＯＳプログラム５２１ａ及び各種アプリケーションを実行することによって、制御部５２内に複数の機能ブロックが実現される。図６は制御部５２内に形成される複数の機能ブロックを示す図である。図６に示されるように、制御部５２内には、機能ブロックとして、表示制御部５２２、個人情報取得部５２３、操作内容特定部５２４、通話処理部５２５、電子メール処理部５２６、ブラウザ処理部５２７、ナビゲーション部５２８、地図表示部５２９、スケジュール管理部５３０及びアドレス帳管理部５３１が形成される。
【００４２】
表示制御部５２２は、タッチパネル５０を制御して、タッチパネル５０にアプリアイコン等の各種情報を表示させる。
【００４３】
個人情報取得部５２３は、アドレス帳ファイル５２０ａを参照して、タッチパネル５０で検出された指紋に対応付けられている個人情報を当該アドレス帳ファイル５２０ａから取得する。この個人情報は、後述するように、ＣＰＵ５２ａがアプリケーションを実行する際に使用される。
【００４４】
操作内容特定部５２４は、タッチパネル５０が検出した操作の内容を特定する。例えば、タッチパネル５０に対して行われた操作が、アプリケーションの起動を行う操作であることを特定したり、所定の文字を入力する操作であることを特定する。また、操作内容特定部５２４は、操作部５１が検出した、複数のキースイッチ５１ａに対する操作の内容を特定する。
【００４５】
通話処理部５２５は、通話プログラム５２１ｂが実行されることによって形成される機能ブロックであって、無線送受信部５３を通じて、他の携帯電話機と音声通信を行う。通話処理部５２５は、音声入力部５６から入力される音声データを含む送信信号を生成し、当該送信信号を無線送受信部５３を通じて他の携帯電話機に対して送信する。また、通話処理部５２５は、無線送受信部５３が受信した信号から音声データを取得して、当該音声データを音声出力部５５に出力する。
【００４６】
電子メール処理部５２６は、電子メールプログラム５２１ｃが実行されることによって形成される機能ブロックであって、無線送受信部５３を通じて、他の携帯電話機やインターネットに接続された通信装置との間で電子メールの送受信を行う。電子メール処理部５２６は、送信用の電子メールを生成し、当該電子メールを無線送受信部５３を通じて他の携帯電話機やインターネットに接続された通信装置に対して送信する。また、電子メール処理部５２６は、無線送受信部５３が受信した信号から電子メールを取得する。
【００４７】
ブラウザ処理部５２７は、ブラウザ５２１ｄが実行されることによって形成される機能ブロックであって、無線送受信部５３を通じて、インターネットに接続されたサーバ装置と通信を行う。ブラウザ処理部５２７は、無線送受信部５３で受信された信号から、インターネットに接続されたサーバ装置から送信されたウェブページを取得し、当該ウェブページを表示制御部５２２を通じてタッチパネル５０に表示させる。
【００４８】
ナビゲーション部５２８は、ナビゲーションプログラム５２１ｅが実行されることによって形成される機能ブロックである。ナビゲーション部５２８は、記憶部５２ｂに記憶されている地図情報に基づいて、出発地から目的地までの経路を求めて、タッチパネル５０あるいは音声出力部５５を利用して、求めた経路をユーザに対して案内する。ナビゲーション部５２８は、後述するように、ＧＰＳ受信部５４で得られた本携帯電話機１の現在位置を出発地に設定することが可能である。
【００４９】
地図表示部５２９は、地図表示プログラム５２１ｆが実行されることによって形成される機能ブロックである。地図表示部５２９は、記憶部５２ｂに記憶されている地図情報に基づいて所定範囲の地図を生成し、表示制御部５２２を通じて、生成した地図をタッチパネル５０に表示させる。
【００５０】
スケジュール管理部５３０は、スケジュール管理プログラム５２１ｇが実行されることによって形成される機能ブロックである。スケジュール管理部５３０は、タッチパネル５０あるいは操作部５１を通じて入力された情報に基づいてスケジュールを生成する。また、スケジュール管理部５３０は、タッチパネル５０あるいは操作部５１を通じて入力された情報に基づいて、生成したスケジュールの変更を行う。
【００５１】
アドレス帳管理部５３１は、アドレス帳管理プログラム５２１ｈが実行されることによって形成される機能ブロックである。アドレス帳管理部５３１は、タッチパネル５０あるいは操作部５１を通じて入力された個人情報をアドレス帳ファイル５２０ａに登録する。またアドレス帳管理部５３１は、タッチパネル５０あるいは操作部５１を通じて入力された情報に基づいて、アドレス帳ファイル５２０ａに登録されている個人情報を変更する。
【００５２】
本実施の形態に係る携帯電話機１では、アドレス帳ファイル５２０ａに登録されている個人情報を、使用する情報として指定した状態でアプリケーションを起動するか、当該個人情報を、使用する情報として指定しない状態でアプリケーションを起動するかを、ユーザが、タッチパネル５０に対して異なった操作を行うことによって選択することが可能となっている。つまり、ユーザは、タッチパネル５０に対する操作によって、アプリケーションを起動する際に、当該アプリケーションで使用する情報を指定することもできるし、指定しないこともできる。以下に本携帯電話機１でのアプリケーションの起動方法について説明する。以後、アドレス帳ファイル５２０ａに登録されている個人情報を、使用する情報として指定した状態でアプリケーションを起動することを「情報指定起動」と呼び、当該個人情報を、使用する情報として指定しない状態でアプリケーションを起動することを「通常起動」と呼ぶことがある。
【００５３】
＜アプリケーションの起動方法＞
図７は本実施の形態に係る携帯電話機１での、アドレス帳管理プログラム５２１ｈ以外のアプリケーションの起動方法を示すフローチャートである。図７に示されるように、まずステップｓ１において、タッチパネル５０が、その初期画面に表示されている所定のアプリアイコンに対する指の操作と、当該指の指紋を検出する。タッチパネル５０の初期画面には、プログラム記憶部５２１が記憶する複数のアプリケーションにそれぞれ対応した複数のアプリアイコンが表示される。
【００５４】
次にステップｓ２において、操作内容特定部５２４が、ステップｓ１で検出された操作が、情報指定起動操作であるのか、通常起動操作であるのかを特定する。ここで、情報指定起動操作とは、当該操作が行われたアプリアイコンに対応するアプリケーションを情報指定起動することを本携帯電話機１に指示するための操作である。一方で、通常起動操作は、当該操作が行われたアプリアイコンに対応するアプリケーションを通常起動することを本携帯電話機１に指示するための操作である。なお、情報指定起動操作及び通常起動操作については、後で詳細に説明する。
【００５５】
ステップｓ２において、操作内容特定部５２４がステップｓ１で検出された操作が通常起動操作であると特定すると、つまり、タッチパネル５０において通常起動操作が検出されると、ステップｓ３において、アドレス帳ファイル５２０ａ内の個人情報が、使用される情報として指定されない状態で、操作されたアプリアイコンに対応するアプリケーションがＣＰＵ５２ａによって起動される。
【００５６】
一方で、ステップｓ２において、操作内容特定部５２４がステップｓ１で検出された操作が情報指定起動操作であると特定すると、つまり、タッチパネル５０において情報指定起動操作が検出されると、ステップｓ４において、個人情報取得部５２３が、アドレス帳ファイル５２０ａを参照して、ステップｓ１で検出された指紋に対応付けられている個人情報を特定し、当該個人情報をアドレス帳ファイル５２０ａから取得する。そして、ステップｓ５において、ステップｓ４で取得された個人情報が、使用される情報として指定された状態で、操作されたアプリアイコンに対応するアプリケーションがＣＰＵ５２ａによって起動される。これにより、ユーザは、タッチパネル５０に表示されているアプリアイコンに対して所定の操作を指で行うことによって、当該指の指紋に対応付けられている個人情報を、使用する情報として指定した状態で、当該アプリアイコンに対応するアプリケーションを起動することができる。
【００５７】
例えば、ユーザが、通話プログラム５２１ｂに対応するアプリアイコンに対して通常起動操作を行うと、本携帯電話機１では、通話プログラム５２１ｂが通常起動される。通話プログラム５２１ｂが通常起動されると、通話処理部５２５は、表示制御部５２２を通じてタッチパネル５０を制御して、電話番号の入力画面をタッチパネル５０に表示させる。ユーザは、タッチパネル５０あるいは操作部５１に対して、通話先の電話番号を本携帯電話機１に入力する操作を行う。そうすると、通話処理部５２５は、ユーザによって入力された電話番号で特定される他の携帯電話機との接続を無線送受信部５３を通じて行う。これにより、本携帯電話機１のユーザは、音声出力部５５及び音声入力部５６を利用して、通話先の他の携帯電話機のユーザとの通話が可能となる。
【００５８】
一方で、ユーザが、通話プログラム５２１ｂに対応するアプリアイコンに対して情報指定起動操作を行うと、本携帯電話機１では、ステップｓ４で取得された個人情報が、使用される情報として指摘された状態で通話プログラム５２１ｂが起動される。通話プログラム５２１ｂが情報指定起動されると、通話処理部５２５は、ステップｓ４で取得された個人情報に含まれる一の電話番号で特定される他の携帯電話機との接続を無線送受信部５３を通じて行う。
【００５９】
図８は通話処理部５２５が通話先の電話番号で特定される他の携帯電話機と接続している際のタッチパネル５０の表示画面１５０を示す図である。図８に示されるように、表示画面１５０には、例えば、接続先の電話番号１５０ａとともに、アドレス帳ファイル５２０ａにおいて、当該電話番号１５０ａに対応付けられている名前１５０ｂ及び画像１５０ｃが示される。また、表示画面１５０には、他の携帯電話機との接続を中止するためのキャンセルボタン１５０ｄが示される。通話プログラム５２１ｂが情報指定起動される場合には、表示画面１５０には、ステップｓ４で取得された個人情報に含まれる一の電話番号１５０ａ、名前１５０ｂ及び画像１５０ｃが示される。このような表示画面１５０は、通話処理部５２５が表示制御部５２２を通じてタッチパネル５０に表示させる。
【００６０】
また、ユーザが、電子メールプログラム５２１ｃに対応するアプリアイコンに対して通常起動操作を行うと、本携帯電話機１では、電子メールプログラム５２１ｃが通常起動される。電子メールプログラム５２１ｃが通常起動されると、電子メール処理部５２６は、電子メールに関するメニュー画面をタッチパネル５０に表示させる。このメニュー画面には、電子メールの作成画面を表示するためのアイコンや、既に受信している電子メールの内容を確認するためのアイコンが示される。電子メール処理部５２６は、タッチパネル５０に表示されている、電子メールの作成画面を表示するためのアイコンが操作されると、当該作成画面をタッチパネル５０に表示させる。タッチパネル５０あるいは操作部５１に対して、アドレスを入力するための操作や本文を入力するための操作が行われた後に、電子メールを送信することを指示する操作が行われると、電子メール処理部５２６は、入力されたアドレスで特定される装置に対して、無線送受信部５３を通じて電子メールを送信する。
【００６１】
一方で、ユーザが、電子メールプログラム５２１ｃに対応するアプリアイコンに対して情報指定起動操作を行うと、本携帯電話機１では、ステップｓ４で取得された個人情報に含まれる一のメールアドレスが、使用される情報として指定された状態で電子メールプログラム５２１ｃが起動される。電子メールプログラム５２１ｃが情報指定起動されると、電子メール処理部５２６は、ステップｓ４で取得された個人情報に含まれる一のメールアドレスが入力された、電子メールの作成画面をタッチパネル５０に表示させる。図９は、メールアドレスがすでに入力された、電子メールの作成画面１５１を示している。電子メールの作成画面１５１には、電子メールの送信を指示するための送信ボタン１５１ａと、電子メールに関するメニュー画面を表示するための表示ボタン１５１ｂとが示される。
【００６２】
また、ユーザが、ブラウザ５２１ｄに対応するアプリアイコンに対して通常起動操作を行うと、本携帯電話機１では、ブラウザ５２１ｄが通常起動される。ブラウザ５２１ｄが通常起動されると、ブラウザ処理部５２７は、無線送受信部５３を通じて、デフォルトのＵＲＬで特定されるサーバ装置に接続し、当該サーバ装置からのウェブページをタッチパネル５０に表示させる。
【００６３】
一方で、ユーザが、ブラウザ５２１ｄに対応するアプリアイコンに対して情報指定起動操作を行うと、本携帯電話機１では、ステップｓ４で取得された個人情報に含まれる一のＵＲＬが、使用される情報として指定された状態でブラウザ５２１ｄが起動される。ブラウザ５２１ｄが情報指定起動されると、ブラウザ処理部５２７は、無線送受信部５３を通じて、ステップｓ４で取得された個人情報に含まれる一のＵＲＬで特定されるサーバ装置に接続し、当該サーバ装置からのウェブページをタッチパネル５０に表示させる。
【００６４】
図１０はタッチパネル５０に表示されるブラウザ画面１５２を示す図である。ブラウザ画面１５２には、ウェブページ１５２ａとともに、ＵＲＬの入力欄１５２ｂが示される。さらに、ブラウザ画面１５２には、入力欄１５２ｂに入力されたＵＲＬで特定されるサーバ装置に接続するための接続ボタン１５２ｃと、タッチパネル５０に初期画面を表示させるための表示ボタン１５２ｄとが示される。ブラウザ５２１ｄが情報指定起動される場合には、ブラウザ画面１５２では、ステップｓ４で取得された個人情報に含まれる一のＵＲＬが入力欄１５２ｂに入力されるとともに、当該ＵＲＬで特定されるサーバ装置からのウェブページ１５２ａが示される。
【００６５】
また、ユーザが、ナビゲーションプログラム５２１ｅに対応するアプリアイコンに対して通常起動操作を行うと、本携帯電話機１ではナビゲーションプログラム５２１ｅが通常起動される。ナビゲーションプログラム５２１ｅが通常起動されると、ナビゲーション部５２８は、ナビゲーションに関するメニュー画面をタッチパネル５０に表示させる。このメニュー画面には、出発地の入力欄や目的地の入力欄などが示される。ナビゲーション部５２８は、タッチパネル５０あるいは操作部５１に対して、出発地及び目的地を入力するための操作が行われると、記憶部５２ｂに記憶されている地図情報に基づいて、入力された出発地及び目的地を含む所定範囲の地図を生成し、当該地図上において出発地と目的地とを結ぶ最適な経路を求める。そして、ナビゲーション部５２８は、生成した地図と、入力された出発地及び目的地とをタッチパネル５０に表示させる。その後、タッチパネル５０あるいは操作部５１に対してナビゲーションの開始を指示する操作が行われると、ナビゲーション部５２８は、タッチパネル５０の表示内容を変更したり、音声出力部５５に音声を出力させることによって、求めた経路をユーザに対して案内する。
【００６６】
一方で、ユーザが、ナビゲーションプログラム５２１ｅに対応するアプリアイコンに対して情報指定起動操作を行うと、本携帯電話機１では、ステップｓ４で取得された個人情報に含まれる一の住所が、使用される情報として指定された状態でナビゲーションプログラム５２１ｅが起動される。ナビゲーションプログラム５２１ｅが情報指定起動されると、ナビゲーション部５２８は、ステップｓ４で取得された個人情報に含まれる一の住所を目的地とする。また、ナビゲーション部５２８は、ＧＰＳ受信部５４で取得された本携帯電話機１の現在位置を出発地とする。そして、ナビゲーション部５２８は、記憶部５２ｂに記憶されている地図情報に基づいて、決定した出発地及び目的地を含む所定領域の地図を生成し、当該地図上において出発地と目的地とを結ぶ最適な経路を求める。その後、ナビゲーション部５２８は、生成した地図と、設定した出発地及び目的地とをタッチパネル５０に表示させる。ナビゲーション部５２８は、タッチパネル５０あるいは操作部５１に対してナビゲーションの開始を指示する操作が行われると、タッチパネル５０の表示内容を変更したり、音声出力部５５に音声を出力させることによって、求めた経路をユーザに対して案内する。
【００６７】
図１１はタッチパネル５０が表示するナビゲーション画面１５３を示す図である。図１１に示されるように、ナビゲーション画面１５３には、出発地を示す図形１５３ａと、目的地を示す図形１５３ｂと、出発地及び目的地を含む所定領域の地図１５３ｃとが示される。またナビゲーション画面１５３には、ナビゲーションの開始を指示するための開始ボタン１５３ｄと、ナビゲーションに関するメニュー画面をタッチパネル５０に表示するための表示ボタン１５３ｅとが示される。
【００６８】
また、ユーザが、地図表示プログラム５２１ｆに対応するアプリアイコンに対して通常起動操作を行うと、本携帯電話機１では、地図表示プログラム５２１ｆが通常起動される。地図表示プログラム５２１ｆが通常起動されると、地図表示部５２９は、ＧＰＳ受信部５４から出力される本携帯電話機１の現在位置を含む所定領域の地図を、記憶部５２ｂに記憶されている地図情報に基づいて生成する。そして、地図表示部５２９は、生成した地図をタッチパネル５０に表示させる。
【００６９】
一方で、ユーザが、地図表示プログラム５２１ｆに対応するアプリアイコンに対して情報指定起動操作を行うと、本携帯電話機１では、ステップｓ４で取得された個人情報に含まれる一の住所が、使用される情報として指定された状態で地図表示プログラム５２１ｆが起動される。地図表示プログラム５２１ｆが情報指定起動されると、地図表示部５２９は、ステップｓ４で取得された個人情報に含まれる一の住所を含む所定領域の地図を、記憶部５２ｂに記憶されている地図情報に基づいて生成する。そして、地図表示部５２９は、生成した地図をタッチパネル５０に表示させる。
【００７０】
図１２はタッチパネル５０が表示する地図表示画面１５４を示す図である。図１２に示されるように、地図表示画面１５４では、所定の位置を示す図形１５４ａと、当該所定の位置を含む所定領域の地図１５４ｂとが示される。さらに地図表示画面１５４には、タッチパネル５０に初期画面を表示させるための表示ボタン１５４ｃが示される。地図表示プログラム５２１ｆが情報指定起動される場合には、地図表示画面１５４には、ステップｓ４で取得された個人情報に含まれる一の住所を示す図形１５４ａが示される。
【００７１】
また、ユーザが、スケジュール管理プログラム５２１ｇに対応するアプリアイコンに対して通常起動操作を行うと、本携帯電話機１では、スケジュール管理プログラム５２１ｇが通常起動される。スケジュール管理プログラム５２１ｇが通常起動されると、スケジュール管理部５３０は、現在の日付を、スケジュールの設定対象の日付としたスケジュール表を作成し、当該スケジュール表をタッチパネル５０に表示させる。その後、タッチパネル５０あるいは操作部５１に対して、対象の日付についてのスケジュールの設定を行うことを指示する操作が行われると、スケジュール管理部５３０は、対象の日付についてのスケジュール設定画面をタッチパネル５０に表示させる。ユーザは、このスケジュール設定画面において対象の日付のスケジュールを設定できる。
【００７２】
一方で、ユーザが、スケジュール管理プログラム５２１ｇに対応するアプリアイコンに対して情報指定起動操作を行うと、本携帯電話機１では、ステップｓ４で取得された個人情報に含まれる一の誕生日が、使用される情報として指定された状態でスケジュール管理プログラム５２１ｇが起動される。スケジュール管理プログラム５２１ｇが情報指定起動されると、スケジュール管理部５３０は、ステップｓ４で取得された個人情報に含まれる一の誕生日を、スケジュールの設定対象の日付としたスケジュール表を作成し、当該スケジュール表をタッチパネル５０に表示させる。その後、タッチパネル５０あるいは操作部５１に対して、対象の日付についてのスケジュールの設定を行うことを指示する操作が行われると、スケジュール管理部５３０は、対象の日付についてのスケジュール設定画面をタッチパネル５０に表示させる。
【００７３】
図１３はタッチパネル５０に表示されるスケジュール確認画面１５５を示す図である。図１３に示されるように、スケジュール確認画面１５５においては、スケジュール表１５５ａが示され、このスケジュール表１５５ａでは、スケジュールの設定対象の日付の下に丸印が示される。またスケジュール確認画面１５５には、対象の日付のスケジュールを設定することを指示する指示ボタン１５５ｂと、タッチパネル５０に初期画面を表示させるための表示ボタン１５５ｃとが示される。
【００７４】
以上のように、本実施の形態に係る携帯電話機１では、ユーザは、タッチパネル５０に表示されているアプリアイコンに対する操作を変化させるだけで、当該アプリアイコンに対応するアプリケーションを通常起動するか、情報指定起動するかを選択することができるため、アプリケーションを通常起動するか、情報指定起動するかを簡単に選択することができる。
【００７５】
また、ユーザは、アプリアイコンに対して情報指定起動操作を行う指を変化させるだけで、当該アプリアイコンに対応するアプリケーションが起動される際に、使用される情報として指定される個人情報を選択することができる。例えば、ユーザの親指の指紋に対して、ユーザの父親の個人情報が対応付けられている場合には、アプリアイコンに対して親指で情報指定起動操作を行うことによって、父親の個人情報を、使用する情報として指定した状態でアプリケーションを起動することができる。また、ユーザの人差し指の指紋に対して、ユーザの母親の個人情報が対応付けられている場合には、アプリアイコンに対して人差し指で情報指定起動操作を行うことによって、母親の個人情報を、使用する情報として指摘した状態でアプリケーションを起動することができる。
【００７６】
＜情報指定起動操作及び通常起動操作の詳細説明＞
次に情報指定起動操作及び通常起動操作について詳細に説明する。以下では、情報指定起動操作及び通常起動操作についての複数の組み合わせ例について説明する。
【００７７】
＜第１の組み合わせ例＞
本例においては、情報指定起動操作は、指がアプリアイコンに接触した後にタッチパネル５０に接触しながら所定領域内に移動する行為であって、通常起動操作は、指がアプリアイコンに単に接触する行為である。
【００７８】
図１４は、本例におけるタッチパネル５０の初期画面１６０の一例を示す図である。初期画面１６０には、複数のアプリアイコンが表示されるアイコン表示領域１６１が設けられている。また初期画面１６０には、情報指定起動操作において指が移動する先の領域である移動先領域１６２が示される。アイコン表示領域１６１の上部には、アイコン表示領域１６１を上側にスクロールしてタッチパネル５０に他のアプリアイコンを表示するための上側スクロールボタン１６３が示されている。また、アイコン表示領域１６１の下部には、アイコン表示領域１６１を下側にスクロールしてタッチパネル５０に他のアプリアイコンを表示するための下側スクロールボタン１６４が示されている。図１４では、アイコン表示領域１６１には、通話プログラム５２１ｂを起動するためのアプリアイコン２００ａと、電子メールプログラム５２１ｃを起動するためのアプリアイコン２００ｂと、ブラウザ５２１ｄを起動するためのアプリアイコン２００ｃと、ナビゲーションプログラム５２１ｅを起動するためのアプリアイコン２００ｄと、スケジュール管理プログラム５２１ｇを起動するためのアプリアイコン２００ｅとが示されている。ユーザは、他のアプリアイコンをアイコン表示領域１６１に表示するためには、上側スクロールボタン１６３あるいは下側スクロールボタン１６４を操作する。
【００７９】
ユーザは、例えば、本携帯電話機１において、通話プログラム５２１ｂを通常起動させたい場合には、アプリアイコン２００ａを指で触れる。これにより、本携帯電話機１では、操作内容特定部５２４が、タッチパネル５０で検出された操作が通常起動操作であると特定し、通話プログラム５２１ｂが上述のようにして通常起動される。なお、ＣＰＵ５２ａは、アプリアイコン２００ａがユーザの指で触れられた後にアプリアイコン２００ａから指が離れた時点で、つまりユーザがアプリアイコン２００ａをタップした時点で、通話プログラム５２１ｂを通常起動する。
【００８０】
一方で、ユーザは、本携帯電話機１において、通話プログラム５２１ｂを情報指定起動させたい場合には、まず図１５に示されるように、指定対象の個人情報が対応付けられている指紋を有する指１６５で、アプリアイコン２００ａに触れる。そして、図１６に示されるように、ユーザは、指１６５がタッチパネル５０に触れた状態で、指１６５（詳細には、指１６５におけるタッチパネル５０との接触部分）を移動先領域１６２まで移動させる。このとき、表示制御部５２２は、タッチパネル５０を制御して、指１６５の移動に応じてアプリアイコン２００ａを移動させても良いし、アプリアイコン２００ａの位置を変化させなくても良い。ユーザが、タッチパネルに表示されるアイコンを指で接触し、その後、当該指をタッチパネルに接触した状態で移動させて、当該指の移動先にアイコンを移動させる行為は「ドラッグ」と呼ばれる。これにより、本携帯電話機１では、操作内容特定部５２４が、タッチパネル５０で検出された操作が情報指定起動操作であると特定し、上述のようにして、指１６５の指紋に対応付けられている個人情報が、使用される情報として指定された状態で通話プログラム５２１ｂが起動される。ここで、ＣＰＵ５２ａは、指１６５が移動先領域１６２内に移動した時点で通話プログラム５２１ｂを情報指定起動しても良いし、指１６５が移動先領域１６２内に移動した後にタッチパネル５０から離れた時点で、通話プログラム５２１ｂを情報指定起動しても良い。
【００８１】
なお、情報指定起動操作を、指がアプリアイコンに単に接触する行為とし、通常起動操作を、指がアプリアイコンに接触した後にタッチパネル５０に接触しながら所定領域内に移動する行為としても良い。
【００８２】
＜第２の組み合わせ例＞
本例においては、情報指定起動操作は、指がアプリアイコンに接触した後にタッチパネル５０に接触しながらアプリアイコンの表示領域外に移動する行為であって、通常起動操作は、指がアプリアイコンに単に接触する行為である。
【００８３】
図１７は、本例におけるタッチパネル５０の初期画面１７０の一例を示す図である。初期画面１７０には、複数のアプリアイコンが表示されるアイコン表示領域１７１が設けられている。アイコン表示領域１７１における右側（初期画面１７０を見て右側）には、アイコン表示領域１７１を右側にスクロールしてタッチパネル５０に他のアプリアイコンを表示するための右側スクロールボタン１７２が示されている。また、アイコン表示領域１７１の左側（初期画面１７０を見て左側）には、アイコン表示領域１７１を左側にスクロールしてタッチパネル５０に他のアプリアイコンを表示するための左側スクロールボタン１７３が示されている。また、初期画面１７０においては、アイコン表示領域１７１の周辺領域１７４にはアイコン等が表示されておらず、アイコン表示領域１７１には、上述のアプリアイコン２００ａ〜２００ｅが表示されている。
【００８４】
本例においては、ユーザは、例えば、本携帯電話機１において、電子メールプログラム５２１ｃを通常起動させたい場合には、アプリアイコン２００ｂを指で接触する。これにより、本携帯電話機１では、操作内容特定部５２４が、タッチパネル５０で検出された操作が通常起動操作であると特定し、電子メールプログラム５２１ｃが上述のようにして通常起動される。なお、ＣＰＵ５２ａは、ユーザがアプリアイコン２００ｂをタップした時点で電子メールプログラム５２１ｃを通常起動する。
【００８５】
一方で、ユーザは、本携帯電話機１において、電子メールプログラム５２１ｃを情報指定起動させたい場合には、まず図１８に示されるように、指定対象の個人情報が対応付けられている指紋を有する指１７５で、アプリアイコン２００ｂに触れる。そして、図１９に示されるように、ユーザは、指１７５がタッチパネル５０に触れた状態で、指１７５（詳細には、指１７５におけるタッチパネル５０との接触部分）をアイコン表示領域１７１よりも外側の領域、つまり周辺領域１７４まで移動させる。このとき、表示制御部５２２は、タッチパネル５０を制御して、指１７５の移動に応じてアプリアイコン２００ｂを移動させても良いし、アプリアイコン２００ｂの位置を変化させなくても良い。これにより、本携帯電話機１では、操作内容特定部５２４が、タッチパネル５０で検出された操作が情報指定起動操作であると特定し、上述のようにして、指１７５の指紋に対応付けられている個人情報が、使用される情報として指定された状態で電子メールプログラム５２１ｃが起動される。ここで、ＣＰＵ５２ａは、指１７５が周辺領域１７４内に移動した時点で電子メールプログラム５２１ｃを情報指定起動しても良いし、指１７５が周辺領域１７４内に移動した後にタッチパネル５０から離れた時点で、電子メールプログラム５２１ｃを情報指定起動しても良い。
【００８６】
なお、情報指定起動操作を、指がアプリアイコンに単に接触する行為とし、通常起動操作を、指がアプリアイコンに接触した後にタッチパネル５０に接触しながらアイコン表示領域１７１の外側に移動する行為としても良い。
【００８７】
＜第３の組み合わせ例：接触回数＞
本例においては、情報指定起動操作は、所定時間内に複数回、指がアプリアイコンに接触する行為であって、通常起動操作は、所定時間内に１回だけ、指がアプリアイコンに接触する行為である。
【００８８】
ユーザは、例えば、本携帯電話機１において、ブラウザ５２１ｄを通常起動させたい場合には、ブラウザ５２１ｄを起動するためのアプリアイコンを所定時間内に１回だけ接触する。これにより、本携帯電話機１では、ブラウザ５２１ｄが上述のようにして通常起動される。ここで、ＣＰＵ５２ａは、所定時間経過した時点でブラウザ５２１ｄを通常起動しても良いし、所定時間経過後も指がアプリアイコンに触れている場合には、指がアイコンから離れた時点でブラウザ５２１ｄを通常起動しても良い。
【００８９】
一方で、ユーザは、本携帯電話機１において、ブラウザ５２１ｄを情報指定起動させたい場合には、指定対象の個人情報が対応付けられている指紋を有する指で、ブラウザ５２１ｄを起動するためのアプリアイコンを所定時間内に複数回、例えば２回触れる。これにより、本携帯電話機１では、上述のようにして、タッチパネル５０で検出された指紋に対応付けられている個人情報が、使用される情報として指定された状態でブラウザ５２１ｄが起動される。ここで、ＣＰＵ５２ａは、所定時間経過後にブラウザ５２１ｄを情報指定起動しても良いし、所定時間経過後も指がアプリアイコンに触れている場合には、指がアイコンから離れた時点でブラウザ５２１ｄを情報指定起動しても良い。
【００９０】
なお、情報指定起動操作を、所定時間内に１回だけ指がアプリアイコンに触れる行為とし、通常起動操作を、所定時間内に複数回指がアプリアイコンに触れる行為としても良い。
【００９１】
＜第４の組み合わせ例：接触時間＞
本例においては、情報指定起動操作は、所定時間よりも長い間、指がアプリアイコンに接触する行為であって、通常起動操作は、所定時間よりも短い間、指がアプリアイコンに接触する行為である。ここで、指が所定時間だけアプリアイコンに接触する行為については、情報指定起動操作としても良いし、通常起動操作としても良い。
【００９２】
ユーザは、例えば、本携帯電話機１において、ナビゲーションプログラム５２１ｅを通常起動させたい場合には、ナビゲーションプログラム５２１ｅを起動するためのアプリアイコンを所定時間よりも短い間、指で接触する。これにより、本携帯電話機１では、ナビゲーションプログラム５２１ｅが上述のようにして通常起動される。なお、ＣＰＵ５２ａは、ユーザがアプリアイコンをタップした時点でナビゲーションプログラム５２１ｅを通常起動する。
【００９３】
一方で、ユーザは、本携帯電話機１において、ナビゲーションプログラム５２１ｅを情報指定起動させたい場合には、指定対象の個人情報が対応付けられている指紋を有する指で、ナビゲーションプログラム５２１ｅを起動するためのアプリアイコンを所定時間よりも長い間触れる。これにより、本携帯電話機１では、上述のようにして、タッチパネル５０で検出された指紋に対応付けられている個人情報が、使用される情報として指定された状態でナビゲーションプログラム５２１ｅが起動される。ここで、ＣＰＵ５２ａは、所定時間よりも長い間、アプリアイコンが指で触れられた時点でナビゲーションプログラム５２１ｅを情報指定起動しても良いし、所定時間よりも長い間アプリアイコンに接触していた指がアプリアイコンから離れた時点でナビゲーションプログラム５２１ｅを情報指定起動しても良い。
【００９４】
なお、情報指定起動操作を、所定時間よりも短い間、指がアプリアイコンに接触する行為とし、通常起動操作を、所定時間よりも長い間、指がアプリアイコンに接触する行為としても良い。
【００９５】
＜第５の組み合わせ例：移動距離＞
本例においては、情報指定起動操作は、指がアプリアイコンに接触した後にタッチパネルに接触しながら所定距離よりも長く移動する行為であって、通常起動操作は、指がアプリアイコンに単に接触する行為である。ここで、指がアプリアイコンに接触した後にタッチパネルに接触しながら所定距離だけ移動する行為も情報指定起動操作としても良い。
【００９６】
図２０は、本例におけるタッチパネル５０の初期画面１８０の一例を示す図である。初期画面１８０には、複数のアプリアイコンが表示される。初期画面１８０の右側端部には、初期画面１８０を右側にスクロールしてタッチパネル５０に他のアプリアイコンを表示するための右側スクロールボタン１８１が示される。また、初期画面１８０の左側端部には、初期画面１８０を左側にスクロールしてタッチパネル５０に他のアプリアイコンを表示するための左側スクロールボタン１８２が示される。図２０では、初期画面１８０に上述のアプリアイコン２００ａ〜２００ｅが表示されている。
【００９７】
本例においては、ユーザは、例えば、本携帯電話機１において、スケジュール管理プログラム５２１ｇを通常起動させたい場合には、アプリアイコン２００ｅを指で接触する。これにより、本携帯電話機１では、スケジュール管理プログラム５２１ｇが上述のようにして通常起動される。なお、ＣＰＵ５２ａは、ユーザがアプリアイコン２００ｅをタップした時点で、スケジュール管理プログラム５２１ｇを通常起動する。
【００９８】
一方で、ユーザは、本携帯電話機１において、スケジュール管理プログラム５２１ｇを情報指定起動させたい場合には、まず図２１に示されるように、指定対象の個人情報が対応付けられている指紋を有する指１８３で、アプリアイコン２００ｅに触れる。そして、図２２に示されるように、ユーザは、指１８３がタッチパネル５０に触れた状態で、指１８３を所定距離よりも長く移動させる。このとき、表示制御部５２２は、タッチパネル５０を制御して、指１８３の移動に応じてアプリアイコン２００ｅを移動させて、指１８３の移動先にアプリアイコン２００ｅを配置しても良いし、アプリアイコン２００ｅの位置を変化させなくても良い。これにより、本携帯電話機１では、上述のようにして、指１８３の指紋に対応付けられている個人情報が、使用される情報として指摘された状態でスケジュール管理プログラム５２１ｇが起動される。ここで、ＣＰＵ５２ａは、ユーザの指が所定距離よりも長く移動した時点でスケジュール管理プログラム５２１ｇを情報指定起動しても良いし、ユーザの指が所定距離よりも長く移動した後にタッチパネル５０から離れた時点でスケジュール管理プログラム５２１ｇを情報指定起動しても良い。
【００９９】
なお、情報指定起動操作を、指がアプリアイコンに単に接触する行為とし、通常起動操作を、指がアプリアイコンに接触した後にタッチパネルに接触しながら所定距離よりも長く移動する行為としても良い。
【０１００】
また、図２３に示されるように、情報指定起動操作を、指１８３がアプリアイコンに接触した後に所定領域１８５内においてタッチパネル５０に接触しながら所定距離よりも長く移動する行為としても良い。そして、図２４に示されるように、指１８３がアプリアイコンに接触した後にタッチパネル５０に接触しながら所定領域１８５の外側に移動した場合には、表示制御部５２２がタッチパネル５０を制御して、当該アプリアイコンを指１８３に移動に応じて移動させて、指１８３の移動先に移動させても良い。
【０１０１】
＜第６の組み合わせ例：移動速度＞
本例においては、情報指定起動操作は、指がアプリアイコンに接触した後にタッチパネル５０に接触しながら所定速度よりも速く移動する行為であって、通常起動操作は、指がアプリアイコンに単に接触する行為である。ここで、指がアプリアイコンに接触した後にタッチパネル５０に接触しながら所定速度で移動する行為も、情報指定起動操作としても良い。
【０１０２】
本例においては、ユーザは、本携帯電話機１において、所定のアプリケーションを通常起動させたい場合には、当該アプリケーションを起動するためのアプリアイコンを指で接触する。これにより、本携帯電話機１では、ユーザの指で接触されたアプリアイコンに対応するアプリケーションが通常起動される。なお、ＣＰＵ５２ａは、ユーザがアプリアイコンをタップした時点でアプリケーションを通常起動する。
【０１０３】
一方で、ユーザは、本携帯電話機１において、所定のアプリケーションを情報指定起動させたい場合には、まず、指定対象の個人情報が対応付けられている指紋を有する指で、当該アプリケーションに対応するアプリアイコンに触れる。そして、ユーザは、指がタッチパネルに触れた状態で、指を所定速度よりも速く移動する。このとき、表示制御部５２２は、タッチパネル５０を制御して、指の移動に応じてアプリアイコンを移動させて、指の移動先にアプリアイコンを配置しても良いし、アプリアイコンの位置を変化させなくても良い。これにより、本携帯電話機１では、ユーザの指で操作されたアプリアイコンに対応するアプリケーションが、当該指の指紋に対応付けられている個人情報が使用される情報として指定された状態で起動される。ここで、ＣＰＵ５２ａは、ユーザの指が所定速度よりも速く移動した時点でアプリケーションを情報指定起動しても良いし、ユーザの指が所定速度よりも速く移動した後にタッチパネル５０から離れた時点でアプリケーションを情報指定起動しても良い。
【０１０４】
なお、情報指定起動操作を、指がアプリアイコンに単に接触する行為とし、通常起動操作を、指がアプリアイコンに接触した後にタッチパネルに接触しながら所定速度よりも速く移動する行為としても良い。
【０１０５】
＜第７の組み合わせ例：ジェスチャー＞
本例においては、情報指定起動操作は、指がアプリアイコンに接触した後にタッチパネル５０に接触しながら所定形状に移動する行為であって、通常起動操作は、指がアプリアイコンに単に接触する行為である。
【０１０６】
本例におけるタッチパネル５０の初期画面は、例えば上述の図２１に示される初期画面１８０と同じ構成とすることができる。
【０１０７】
本例においては、ユーザは、本携帯電話機１において、例えばスケジュール管理プログラム５２１ｇを通常起動させたい場合には、初期画面１８０のアプリアイコン２００ｅを指で接触する。これにより、本携帯電話機１では、スケジュール管理プログラム５２１ｇが上述のようにして通常起動される。なお、ＣＰＵ５２ａは、ユーザがアプリアイコン２００ｅをタップした時点でスケジュール管理プログラム５２１ｇを通常起動する。
【０１０８】
一方で、ユーザは、本携帯電話機１において、スケジュール管理プログラム５２１ｇを情報指定起動させたい場合には、まず上述の図２１に示されるように、指定対象の個人情報が対応付けられている指紋を有する指１８３で、アプリアイコン２００ｅに触れる。そして、図２５に示されるように、ユーザは、指１８３がタッチパネル５０に触れた状態で、指１８３を所定形状（図２５の例では「Ｖ字」）に移動させる。このとき、表示制御部５２２は、タッチパネル５０を制御して、指１８３の移動に応じてアプリアイコン２００ｅを移動させて、指１８３の移動先にアプリアイコン２００ｅを配置しても良いし、アプリアイコン２００ｅの位置を変化させなくても良い。これにより、本携帯電話機１では、上述のようにして、指１８３の指紋に対応付けられている個人情報が、使用される情報として指定された状態でスケジュール管理プログラム５２１ｇが起動される。ここで、ＣＰＵ５２ａは、指が所定形状に移動した時点でスケジュール管理プログラム５２１ｇを情報指定起動しても良いし、指が所定形状に移動した後にタッチパネル５０から離れた時点でスケジュール管理プログラム５２１ｇを情報指定起動しても良い。
【０１０９】
＜指紋の登録方法＞
次にアドレス帳ファイル５２０ａにユーザの指紋を登録する方法について説明する。本実施の形態では、アドレス帳管理プログラム５２１ｈを実行することによって、アドレス帳ファイル５２０ａに指紋を登録することができる。
【０１１０】
図２６はアドレス帳管理プログラム５２１ｈが実行されている際の本携帯電話機１の動作を示すフローチャートである。ユーザが、タッチパネル５０に表示されている、アドレス帳管理プログラム５２１ｈを起動するためのアプリアイコンを指で接触すると、操作内容特定部５２４が、タッチパネル５０が検出した操作が、アドレス帳管理プログラム５２１ｈを起動するための操作であると特定し、ＣＰＵ５２ａはアドレス帳管理プログラム５２１ｈを実行する。そうすると、図２６に示されるように、ステップｓ１１において、アドレス帳管理部５３１が、表示制御部５２２を通じてタッチパネル５０を制御部して、タッチパネル５０にアドレス帳登録画面２１０を表示させる。図２７はアドレス帳登録画面２１０の一例を示す図である。
【０１１１】
図２７に示されるように、アドレス帳登録画面２１０には、名前の入力欄２１０ａと、入力欄２１０ａに入力された漢字のよみを入力するための入力欄２１０ｂと、電話番号を入力するための複数の入力欄２１０ｃ〜２１０ｅと、メールアドレスを入力するための複数の入力欄２１０ｆ〜２１０ｈと、ＵＲＬの入力欄２１０ｉと、住所の入力欄２１０ｊと、誕生日の入力欄２１０ｋと、血液型の入力欄２１０ｌとが示される。ユーザは、タッチパネル５０あるいは操作部５１に対して操作を行うことによって、複数の入力欄２１０ａ〜２１０ｌのそれぞれに対して情報を入力することができる。
【０１１２】
また、アドレス帳登録画面２１０には、タッチパネル５０に初期画面を表示させるための表示ボタン２１０ｍと、アドレス帳登録画面２１０で入力された個人情報をアドレス帳ファイル５２０ａへ登録を行うことを指示するための登録ボタン２１０ｎとが示されている。
【０１１３】
ステップｓ１２において、タッチパネル５０が登録ボタン２１０ｎに対する操作を検出すると、ステップｓ１３において、アドレス帳管理部５３１は、タッチパネル５０に指紋登録画面２２０を表示させる。図２８は指紋登録画面２２０の一例を示す図である。図２８に示されるように、指紋登録画面２２０には、登録対象の指紋を有する指を接触させる領域２２０ａが示される。また指紋登録画面２２０には、指紋登録をキャンセルしてタッチパネル５０に初期画面を表示させるためのキャンセルボタン２２０ｂが示されている。
【０１１４】
ユーザが、指紋登録画面２２０の領域２２０ａに対して指を接触させると、ステップｓ１４において、タッチパネル５０が当該指の指紋を検出する。そして、アドレス帳管理部５３１は、ステップｓ１５において、タッチパネル５０が検出した指紋に対応付けられている個人情報がアドレス帳ファイル５２０ａに存在していないかを判定する。
【０１１５】
アドレス帳管理部５３１は、タッチパネル５０が検出した指紋に対応付けられている個人情報がアドレス帳ファイル５２０ａに存在していないと判定すると、ステップｓ１６において、タッチパネル５０で検出された指紋と、アドレス帳登録画面２１０を利用してユーザが入力した個人情報とを対応付けてアドレス帳ファイル５２０ａに記憶する。
【０１１６】
一方で、アドレス帳管理部５３１は、タッチパネル５０が検出した指紋に対応付けられている個人情報がアドレス帳ファイル５２０ａに存在していると判定すると、ステップｓ１７において、当該個人情報を、ユーザが新たに入力した個人情報で上書きするかどうかを選択するための上書き選択画面２３０をタッチパネル５０に表示させる。図２９は上書き選択画面２３０の一例を示す図である。図２９に示されるように、上書き選択画面２３０には、上書きを許可することを通知するための許可ボタン２３０ａと、上書きを行わないことを通知するための不許可ボタン２３０ｂとが示される。
【０１１７】
タッチパネル５０が許可ボタン２３０ａの操作を検出すると、アドレス帳管理部５３１は、タッチパネル５０が検出した指紋に対応付けられている個人情報を、ユーザが新たに入力した個人情報で上書きする。一方で、タッチパネル５０が不許可ボタン２３０ｂの操作を検出すると、アドレス帳管理部５３１はタッチパネル５０に初期画面を表示させる。
【０１１８】
このようにして、ユーザは、自身が有する複数の指の指紋のそれぞれについて、指紋と個人情報とを対応付けてアドレス帳ファイル５２０ａに登録することができる。
【０１１９】
以上のように、本実施の形態に係る携帯電話機１では、ユーザは、アプリアイコンに対する操作を変更するだけで、当該アプリアイコンに対応するアプリケーションを情報指定起動するか、通常起動するかを選択することができるため、当該アプリケーションを情報指定起動するか、通常起動するかを簡単に選択することができる。
【０１２０】
また、ユーザの複数の指のそれぞれの指紋に対して、互いに異なった人物の個人情報を対応付けることによって、ユーザは、アプリアイコンに対して情報指定起動操作を行う指を変更するだけで、同一のアプリケーションを起動する場合であっても、異なった人物の個人情報を指摘することができる。
【０１２１】
＜変形例＞
上述の図７の例では、タッチパネル５０が通常起動操作を検出すると、アプリケーションがすぐに通常起動されていたが、その前に、表示制御部５２２は、通常起動を行うことを許可するか否かをユーザが選択するための通常起動選択画面をタッチパネル５０に表示させても良い。図３０は、上述の図１４の初期画面１６０の上に、通常起動選択画面３００が重ねて表示されている様子を示す図である。図３０に示されるように、通常起動選択画面３００には、通常起動を行うことを許可するための許可ボタン３００ａと、通常起動を行うことを許可しないための不許可ボタン３００ｂとが示されている。
【０１２２】
ＣＰＵ５２ａは、タッチパネル５０において許可ボタン３００ａが操作されたことが検出されると、つまりタッチパネル５０が通常起動を行うことを許可する操作を検出すると、通常起動操作が行われたアプリアイコンに対応するアプリケーションを通常起動する。一方で、タッチパネル５０において不許可ボタン３００ｂが操作されたことが検出されると、つまりタッチパネル５０が通常起動を行うことを許可しない操作を検出すると、表示制御部５２２はタッチパネル５０に初期画面を表示させる。
【０１２３】
また、上述の図７の例では、タッチパネル５０が情報指定起動操作を検出すると、アプリケーションがすぐに情報指定起動されていたが、その前に、表示制御部５２２は、情報指定起動を行うことを許可するか否かをユーザが選択するための情報指定起動選択画面をタッチパネル５０に表示させても良い。図３１は、上述の図１４の初期画面１６０の上に、情報指定起動選択画面３１０が重ねて表示されている様子を示す図である。図３１に示されるように、情報指定起動選択画面３１０には、情報指定起動を行うことを許可するための許可ボタン３１０ａと、情報指定起動を行うことを許可しないための不許可ボタン３１０ｂとが示されている。
【０１２４】
ＣＰＵ５２ａは、タッチパネル５０において許可ボタン３１０ａが操作されたことが検出されると、情報指定起動操作が行われたアプリアイコンに対応するアプリケーションを情報指定起動する。一方で、タッチパネル５０において不許可ボタン３１０ｂが操作されたことが検出されると、表示制御部５２２はタッチパネル５０に初期画面を表示させる。
【０１２５】
さらに、情報指定起動選択画面３１０を表示するタッチパネル５０が、情報指定起動を行うことを許可する操作を検出した際には、ＣＰＵ５２ａがアプリケーションを情報指定起動する前に、表示制御部５２２は、タッチパネル５０で検出された指紋に対応付けられている個人情報が、アプリケーションで使用される情報とされることを許可するか否かをユーザが選択するための使用選択画面をタッチパネル５０に表示させても良い。図３２は、図１４の初期画面１６０の上に、使用選択画面３２０が重ねて表示されている様子を示す図である。図３２に示されるように、使用選択画面３２０には、タッチパネル５０が検出した指紋に対応する個人情報が、アプリケーションで使用される情報とされることを許可するための許可ボタン３２０ａと、当該個人情報が、アプリケーションで使用される情報とされることを許可しないための不許可ボタン３２０ｂとが示されている。
【０１２６】
ＣＰＵ５２ａは、タッチパネル５０において許可ボタン３２０ａが操作されたことが検出されると、情報指定起動操作が行われたアプリアイコンに対応するアプリケーションを情報指定起動する。一方で、タッチパネル５０において不許可ボタン３２０ｂが操作されたことが検出されると、表示制御部５２２はタッチパネル５０に初期画面を表示させる。
【０１２７】
また、上記のナビゲーションプログラム５２１ｅの情報指定起動の例では、個人情報に含まれる住所を目的地としていたが、個人情報において、当該個人情報に対応する人物が有する携帯電話機が取得した位置情報が含まれている場合には、当該位置情報が示す位置を目的地としても良い。同様に、地図表示プログラム５２１ｆを情報指定起動する際には、個人情報に含まれる、当該個人情報に対応する人物が有する携帯電話機が取得した位置情報が示す位置を含む所定範囲の地図をタッチパネル５０に表示しても良い。
【０１２８】
このような場合には、本携帯電話機１が、他の携帯電話機と通信を行って、当該他の携帯電話機から、それが取得した位置情報を受け取る。そして、本携帯電話機１が、受け取った位置情報を、アドレス帳ファイル５２０ａに登録されている、当該他の携帯電話機を有する人物についての個人情報に含める。これにより、アドレス帳ファイル５２０ａに登録されている個人情報には、当該個人情報に対応する人物が有する携帯電話機が取得した位置情報が含まれる。
【０１２９】
また、本携帯電話機１は、タッチパネル５０が収納された第１の筐体２がスライドするスライド式携帯電話機としたが、第１の筐体２と第２の筐体３とが、タッチパネル５０の表示面と複数のキースイッチ５１ａとが対向するように折り畳むことが可能な折り畳み式携帯電話機であっても良いし、第１の筐体２と第２の筐体３とが上下に配置された状態でそれらの位置関係が変化しない携帯電話機であっても良い。
【０１３０】
また、本携帯電話機１に対して、本携帯電話機１がオープン状態（図１）であるのかクローズ状態（図２）であるのかを検出する状態検出部を設けて、当該状態検出部が、本携帯電話機１がクローズ状態であることを検出したときのみ、タッチパネル５０の指紋検出及び情報指定起動操作の検出を有効にしても良い。
【符号の説明】
【０１３１】
１  携帯電話機
５０  タッチパネル
５２ａ  ＣＰＵ
１６２  移動先領域
１７１  アイコン表示領域
１７４  周辺領域
１８５  所定領域
２００ａ〜２００ｅ  アプリアイコン
３００  通常起動選択画面
３１０  情報指定起動選択画面
３２０  使用選択画面
５２０  個人情報記憶部
５２０ａ  アドレス帳ファイル
５２１  プログラム記憶部
５２１ｂ  通話プログラム
５２１ｃ  電子メールプログラム
５２１ｄ  ブラウザ
５２１ｅ  ナビゲーションプログラム
５２１ｆ  地図表示プログラム
５２１ｇ  スケジュール管理プログラム
５２１ｈ  アドレス帳管理プログラム
５２２  表示制御部
【図１】
2011034140.tif 000003
【図２】
2011034140.tif 000004
【図３】
2011034140.tif 000005
【図４】
2011034140.tif 000006
【図５】
2011034140.tif 000007
【図６】
2011034140.tif 000008
【図７】
2011034140.tif 000009
【図８】
2011034140.tif 000010
【図９】
2011034140.tif 000011
【図１０】
2011034140.tif 000012
【図１１】
2011034140.tif 000013
【図１２】
2011034140.tif 000014
【図１３】
2011034140.tif 000015
【図１４】
2011034140.tif 000016
【図１５】
2011034140.tif 000017
【図１６】
2011034140.tif 000018
【図１７】
2011034140.tif 000019
【図１８】
2011034140.tif 000020
【図１９】
2011034140.tif 000021
【図２０】
2011034140.tif 000022
【図２１】
2011034140.tif 000023
【図２２】
2011034140.tif 000024
【図２３】
2011034140.tif 000025
【図２４】
2011034140.tif 000026
【図２５】
2011034140.tif 000027
【図２６】
2011034140.tif 000028
【図２７】
2011034140.tif 000029
【図２８】
2011034140.tif 000030
【図２９】
2011034140.tif 000031
【図３０】
2011034140.tif 000032
【図３１】
2011034140.tif 000033
【図３２】
2011034140.tif 000034